(57)【要約】【課題】  コンセントにおけるトラッキングの発生を防止すること。【解決手段】  電源供給用コンセント３１において、コンセント本体３１Ｄの頭部３１Ｘのプラグ差し込み口３１Ａ、３１Ｃを覆うためのシリコーンゴム製でキャップ状の防塵用カバー６１を設ける。頭部３１Ｘの外周面３１Ｘａには周方向に延びる溝Ｍ１を形成し、防塵用カバー６１の開口周縁部６１Ａには溝Ｍ１内に係入して防塵用カバー６１を頭部３１Ｘに保持しておくための係入突片部６１Ｂを一体に形成し、防塵用カバー６１の差し込み口３１Ａ、３１Ｃに対応する部位にはプラグの刃を差し入れるための一対のスリットＳ１、Ｓ２を形成する。【選択図】        図２
0003102892.tif 000002
【実用新案登録請求の範囲】
【請求項１】
電源供給用コンセントであって、頭部にプラグ差し込み口が設けられているコンセント本体と、弾力性及び電気的絶縁性を有する材料から成り該コンセント本体の頭部のプラグ差し込み口を覆うためのキャップ状の防塵用カバーとを備えて成り、前記頭部の外周面には周方向に延びる溝が形成されており、前記防塵用カバーの開口周縁部には前記溝内に係入して前記防塵用カバーを前記頭部に保持しておくための係入突片部が一体に形成されており、前記防塵用カバーの前記差し込み口に対応する部位にはプラグの刃を差し入れるための一対のスリットが形成されていることを特徴とする電源供給用コンセント。
【考案の詳細な説明】
【技術分野】
【０００１】
本考案は、商用電源等を供給するための電源供給口として用いられる電源供給用コンセントに関するものである。
【背景技術】
【０００２】
従来、室の壁等に電源供給口としてコンセントが設けられるほか、既設のコンセントから離れた場所で給電を行いたい場合、又はコンセントの数が不足している場合にコンセントを増やす目的でテーブルタップが使用されている。この種のテーブルタップとして、例えば特許文献１に開示されているように、ケースの上面にコンセント（アウトレット）をスイッチと共に設けたものが公知である。
【特許文献１】実用新案登録第３０４９７２３号明細書
【考案の開示】
【考案が解決しようとする課題】
【０００３】
しかしながら、特に、テーブルタップの場合、ケース上面にコンセントが設けられているので、コンセントに何も差し込まれていない状態が長期間継続すると、コンセントの差し込み口内にゴミ、水分等が付着し、コンセントの内部に錆が発生したり、絶縁性の低下や接触不良を招くこととなり、所謂トラッキングが生じる虞も生じる。また、コンセントにプラグが差し込まれた状態にあっても、コンセントとプラグとの間に隙間が生じ、この隙間からゴミ等が侵入し、同様の不具合を生じる虞がある。壁面等に固定的に設けられているコンセントについても同様である。
【０００４】
本考案の目的は、従来技術における上述の問題点を解決することができる防塵用カバー付の電源供給用コンセントを提供することにある。
【課題を解決するための手段】
【０００５】
本考案は、電源供給用コンセントであって、頭部にプラグ差し込み口が設けられているコンセント本体と、弾力性及び電気的絶縁性を有する材料から成り該コンセント本体の頭部のプラグ差し込み口を覆うためのキャップ状の防塵用カバーとを備えて成り、前記頭部の外周面には周方向に延びる溝が形成されており、前記防塵用カバーの開口周縁部には前記溝内に係入して前記防塵用カバーを前記頭部に保持しておくための係入突片部が一体に形成されており、前記防塵用カバーの前記差し込み口に対応する部位にはプラグの刃を差し入れるための一対のスリットが形成されていることを特徴とする。
【考案の効果】
【０００６】
本考案の電源供給用コンセントは、防塵用カバーによってプラグ差し込み口が覆われており、プラグ差し込み口にゴミ等が侵入するのを有効に防止できる。そして、使用時には、防塵用カバーを取り着けたまま、一対のスリットを通してプラグの刃をプラグ差し込み口に挿入することにより、プラグをコンセントに差し込んで給電を行うことができる。この際、コンセントとプラグとの間にシリコーンゴム製の防塵用カバーが挟まれるので、コンセントとプラグとの間に隙間が生じにくく、そこにゴミが溜まるのを有効に防止でき、トラッキング発生の抑制に役立つ。
【考案を実施するための最良の形態】
【０００７】
以下、図面を参照して本考案の実施の形態の一例につき詳細に説明する。
【０００８】
図１は、本考案による電源供給用コンセントをテーブルタップに適用した場合の実施の形態の一例を示す斜視図である。テーブルタップ１はケース本体２を有し、ケース本体２の上面２Ａには複数の上面コンセント３１〜３５と対応する複数のスイッチ４１〜４５とが配設されている。
【０００９】
本実施の形態では、ケース本体２は細長い箱状の形態となっており、その上面２Ａには上面コンセント３１〜３５とスイッチ４１〜４５とが交互に整列して配設されている。このような配設によるとケース本体２の幅寸法を小さくすることができ、テーブルタップ１を細身にできるので、家具と壁の間の狭い隙間に設置することが可能となる。
【００１０】
ケース本体２の内部に施される配線により、スイッチ４１により上面コンセント３１に接続された機器の電源のオン、オフを制御することができるようになっている。同様に、スイッチ４２〜４５により上面コンセント３２〜３５に接続された機器のオン、オフ制御をそれぞれ独立して行うことができるようになっている。
【００１１】
大きくて重量のあるＡＣセパラ一体取付型のＡＣアダプタの如き機器をテーブルタップ１に安定に取り付けておくことができるようにするため、テーブルタップ１においてはケース本体２の側面２Ｂにもコンセントが配設されている。これらの側面コンセント５１、５３、５５は、上面コンセント３１、３３、３５に対応して設けられている。すなわち、側面コンセント５１は、上面コンセント３１と、ケース本体２の長手方向に直交する方向に沿って整列するようにして側面２Ｂに配設されている。側面コンセント５３、５５についても同様である。
【００１２】
ケース本体２の側面２Ｂに側面コンセント５１、５３、５５を配設し、これらのいずれかにＡＣアダプタに一体に設けられているＡＣセパラを差し込み給電を行うようにすれば、テーブルタップ１を床面に置いて使用する場合、ＡＣアダプタの自重が床面にて支えられるので、テーブルタップ１にＡＣアダプタの自重が全て加わる従来の場合に比べて、テーブルタップ１を極めて安定な状態に置くことができ、テーブルタップ１が床面上で転動したりする不具合を生じることがない。
【００１３】
上面コンセント３１は、ケース本体２から露出しているその頭部３１Ｘに、プラグ差し込み口３１Ａ、３１Ｃが設けられている。そして、頭部３１Ｘには対応する防塵用カバー６１が取り着けられるようになっている。
【００１４】
図２には、上面コンセント３１及び防塵用カバー６１が拡大して詳細に示されている。防塵用カバー６１はシリコーンゴム製の成形品でキャップ状となっており、その開口周縁部６１Ａには、全周に亘って係入突片部６１Ｂが一体に形成されている。係入突片部６１Ｂは内向きに、その上面６１Ｃと平行に延びるように形成されている。なお、防塵用カバー６１はシリコーンゴム製の成形品に限定されるものではない。防塵用カバー６１は、弾力性及び電気的絶縁性を有する材料であれば、シリコーンゴム以外の材料を用いてつくることができる。
【００１５】
一方、上面コンセント３１のコンセント本体３１Ｄの頭部３１Ｘには溝Ｍ１が形成されている。溝Ｍ１は係入突片部６１Ｂに対応して設けられたもので、頭部３１Ｘの外周面３１Ｘａの周方向に延びるように形成され、防塵用カバー６１が頭部３１Ｘに装着されたときに、係入突片部６１Ｂが溝Ｍ１に係入し、防塵用カバー６１が頭部３１Ｘから容易に離脱することがないように作用する。この結果、防塵用カバー６１を頭部３１Ｘにしっかりと保持しておくことができる。
【００１６】
防塵用カバー６１の上面６１Ｃには、プラグ差し込み口３１Ａ、３１Ｃに対応するように一対のスリットＳ１、Ｓ２が形成されている。これらのスリットＳ１、Ｓ２は、プラグ差し込み口３１Ａ、３１Ｃに差し込まれるプラグの刃を通すためのものであり、例えば、０．１ｍｍ程度の隙間をもって形成されるのが好ましい。このように僅かな間隔を確保することにより、ゴミ等の侵入を防ぎつつ、プラグの刃の抜き差しを円滑に行わせることが可能となる。これは、シリコーンゴムの弾力性の効果によるものである。なお、スリットＳ１、Ｓ２の各両端部には、小さな円形孔Ｈが設けられており、これによりプラグの頻繁な抜き差しが行われてもスリットＳ１、Ｓ２の両端部が損傷しにくい構成となっている。
【００１７】
上面コンセント３１は、防塵用カバー６１によってプラグ差し込み口３１Ａ、３１Ｃが覆われており、プラグ差し込み口３１Ａ、３１Ｃにゴミ等が侵入するのを有効に防止できる。そして、シリコーンゴムの電気的絶縁性により、使用時には、防塵用カバー６１を取り着けたまま、一対のスリットＳ１、Ｓ２を通してプラグの刃をプラグ差し込み口３１Ａ、３１Ｃに挿入することにより、プラグへの給電を行うことができる。この際、コンセント本体３１Ｄとプラグとの間に弾力性を有するシリコーンゴム製の防塵用カバー６１が挟まれるので、コンセント本体３１Ｄとプラグとの間に隙間が生じにくく、そこにゴミが溜まるのを有効に防止でき、トラッキング発生の抑制に役立つ。
【００１８】
以上、上面コンセント３１と防塵用カバー６１について説明したが、他の上面コンセント３２〜３５にも、同様にして、防塵用カバー６１と同様の構成の防塵用カバー６２〜６５が取り着けられる構成となっており、同様の作用効果が得られる。なお、溝Ｍ１と同様の趣旨で上面コンセント３２〜３５にも溝Ｍ２〜Ｍ５が形成されている。
【００１９】
なお、側面コンセント５１、５３、５５については、防塵用カバーが取り着けられていないか、同様にして防塵用カバーを取り着けるようにしてもよいことは勿論である。
【００２０】
以上、本考案をテーブルタップについて適用した例について説明したが、本考案はこれに限定されず、例えば、壁面に固定的に設けられるコンセント、コンセント単体についても同様に適用できるものであることは勿論である。
【図面の簡単な説明】
【００２１】
【図１】本考案の実施の形態の一例を示す斜視図。
【図２】図１に示したテーブルタップの要部の拡大図。
【符号の説明】
【００２２】
１  テーブルタップ
２  ケース本体
３１〜３５  上面コンセント
３１Ａ〜３５Ａ、３１Ｃ〜３５Ｃ  プラグ差し込み口
３１Ｄ  コンセント本体
３１Ｘ  頭部
３１Ｘａ  外周面
５１、５３、５５  側面コンセント
６１〜６５  防塵用カバー
６１Ａ  開口周縁部
６１Ｂ  係入突片部
６１Ｃ  上面
Ｍ１〜Ｍ５  溝
Ｓ１、Ｓ２  スリット
【図１】
0003102892.tif 000003
【図２】
0003102892.tif 000004